(57)【要約】  【課題】  携帯電話機の電話番号の一部又は全部により暗証番号を代用することで、セキュリティを高く維持しつつ入場者の利便性を保持することができる入退場制御システム、入退場制御方法、制御装置、及びコンピュータプログラムを提供する。  【解決手段】  入場者に係る携帯電話機と、入場者の入退場口の開錠を制御する制御装置とを備え、制御装置は、携帯電話機に係る電話番号を受付け、受付けた電話番号に対して発呼し、呼が確立されたと確認した場合、入力を要求するメッセージを出力し、入力を受け付けた場合、受け付けた入力が電話番号の一部又は全部であるか否かを判断し、電話番号の一部又は全部であると判断した場合、入退場口の開錠を指示する信号を送出する。受付けた電話番号の一部又は全部は、記憶手段に所定の時間記憶する。【選択図】        図２
2006225889.tif 000002
【特許請求の範囲】
【請求項１】
入場者に係る携帯電話機と、入場者の入退場口の開錠を制御する制御装置とを備える入退場制御システムにおいて、
前記制御装置は、
前記携帯電話機に係る電話番号を受付ける手段と、
受付けた電話番号に対して発呼する手段と、
呼が確立されたか否かを確認する手段と、
該手段で呼が確立されたと確認した場合、入力を要求するメッセージを出力する手段と、
入力を受け付けたか否かを判断する手段と、
該手段で入力を受付けたと判断した場合、受け付けた入力が前記電話番号の一部又は全部であるか否かを判断する手段と、
該手段で前記電話番号の一部又は全部であると判断した場合、入退場口の開錠を指示する信号を送出する手段と、
受付けた前記電話番号の一部又は全部を記憶手段に所定の時間記憶する手段と
を備えることを特徴とする入退場制御システム。
【請求項２】
前記制御装置は、
入退場口が施錠されている場合、受付けた入力が、記憶してある前記電話番号の一部又は全部と一致するか否かを判断する手段と、
該手段で一致すると判断した場合、入退場口の開錠を指示する信号を送出する手段と
を備えることを特徴とする請求項１記載の入退場制御システム。
【請求項３】
前記制御装置は、
人間に固有の生体識別情報の入力を受付ける手段と、
前記電話番号の一部又は全部を、受け付けた生体識別情報に対応付けて、前記記憶手段に記憶する手段と、
入退場口が施錠されている場合、生体識別情報の入力を受付ける手段と、
受付けた生体識別情報が、記憶してある前記生体識別情報と略合致するか否かを判断する手段と、
該手段で略合致すると判断した場合、入退場口の開錠を指示する信号を送出する手段と
を備えることを特徴とする請求項１又は２記載の入退場制御システム。
【請求項４】
前記生体識別情報は所定の指の指紋情報であることを特徴とする請求項３記載の入退場制御システム。
【請求項５】
入場者に係る携帯電話機と、入場者の入退場口の開錠を制御する制御装置とを用い、前記入場者の入退場を制御する入退場制御方法において、
前記携帯電話機に係る電話番号を受付け、
受付けた電話番号に対して発呼し、
呼が確立されたか否かを確認し、
呼が確立されたと確認した場合、入力を要求するメッセージを出力し、
入力を受け付けたか否かを判断し、
入力を受付けたと判断した場合、受け付けた入力が前記電話番号の一部又は全部であるか否かを判断し、
前記電話番号の一部又は全部であると判断した場合、入退場口の開錠を指示する信号を送出し、
受付けた前記電話番号の一部又は全部を記憶手段に所定の時間記憶することを特徴とする入退場制御方法。
【請求項６】
入退場口が施錠されている場合、受付けた入力が、記憶してある前記電話番号の一部又は全部と一致するか否かを判断し、
一致すると判断した場合、入退場口の開錠を指示する信号を送出することを特徴とする請求項５記載の入退場制御方法。
【請求項７】
人間に固有の生体識別情報の入力を受付け、
前記電話番号の一部又は全部を、受け付けた生体識別情報に対応付けて、前記記憶手段に記憶し、
入退場口が施錠されている場合、生体識別情報の入力を受付け、
受付けた生体識別情報が、記憶してある前記生体識別情報と略合致するか否かを判断し、
略合致すると判断した場合、入退場口の開錠を指示する信号を送出することを特徴とする請求項５又は６記載の入退場制御方法。
【請求項８】
前記生体識別情報は所定の指の指紋情報であることを特徴とする請求項７記載の入退場制御方法。
【請求項９】
入場者に係る携帯電話機から情報を取得し、前記入場者の入退場口の開錠を制御する制御装置において、
前記携帯電話機に係る電話番号を受付ける手段と、
受付けた電話番号に対して発呼する手段と、
呼が確立されたか否かを確認する手段と、
該手段で呼が確立されたと確認した場合、入力を要求するメッセージを出力する手段と、
入力を受け付けたか否かを判断する手段と、
該手段で入力を受付けたと判断した場合、受け付けた入力が前記電話番号の一部又は全部であるか否かを判断する手段と、
該手段で前記電話番号の一部又は全部であると判断した場合、入退場口の開錠を指示する信号を送出する手段と、
受付けた前記電話番号の一部又は全部を記憶手段に所定の時間記憶する手段と
を備えることを特徴とする制御装置。
【請求項１０】
入退場口が施錠されている場合、入力を受付ける手段と、
受付けた入力が、記憶してある前記電話番号の一部又は全部と一致するか否かを判断する手段と、
該手段で一致すると判断した場合、入退場口の開錠を指示する信号を送出する手段と
を備えることを特徴とする請求項９記載の制御装置。
【請求項１１】
人間に固有の生体識別情報の入力を受付ける手段と、
前記電話番号の一部又は全部を、受け付けた生体識別情報に対応付けて、前記記憶手段に記憶する手段と、
入退場口が施錠されている場合、生体識別情報の入力を受付ける手段と、
受付けた生体識別情報が、記憶してある前記生体識別情報と略合致するか否かを判断する手段と、
該手段で略合致すると判断した場合、入退場口の開錠を指示する信号を送出する手段と
を備えることを特徴とする請求項９又は１０記載の制御装置。
【請求項１２】
前記生体識別情報は所定の指の指紋情報であることを特徴とする請求項１１記載の制御装置。
【請求項１３】
入場者に係る携帯電話機から情報を取得し、前記入場者の入退場口の開錠を制御する制御装置で実行可能なコンピュータプログラムにおいて、
前記制御装置を、
前記携帯電話機に係る電話番号を受付ける手段、
受付けた電話番号に対して発呼する手段、
呼が確立されたか否かを確認する手段、
該手段で呼が確立されたと確認した場合、入力を要求するメッセージを出力する手段、
入力を受け付けたか否かを判断する手段、
該手段で入力を受付けたと判断した場合、受け付けた入力が前記電話番号の一部又は全部であるか否かを判断する手段、
該手段で前記電話番号の一部又は全部であると判断した場合、入退場口の開錠を指示する信号を送出する手段、及び
受付けた前記電話番号の一部又は全部を記憶手段に所定の時間記憶する手段
として機能させることを特徴とするコンピュータプログラム。
【請求項１４】
前記制御装置を、
入退場口が施錠されている場合、入力を受付ける手段、
受付けた入力が、記憶してある前記電話番号の一部又は全部と一致するか否かを判断する手段、及び
該手段で一致すると判断した場合、入退場口の開錠を指示する信号を送出する手段
として機能させることを特徴とする請求項１３記載のコンピュータプログラム。
【請求項１５】
前記制御装置を、
人間に固有の生体識別情報の入力を受付ける手段、
前記電話番号の一部又は全部を、受け付けた生体識別情報に対応付けて、前記記憶手段に記憶する手段、
入退場口が施錠されている場合、生体識別情報の入力を受付ける手段、
受付けた生体識別情報が、記憶してある前記生体識別情報と略合致するか否かを判断する手段、及び
該手段で略合致すると判断した場合、入退場口の開錠を指示する信号を送出する手段
として機能させることを特徴とする請求項１３又は１４記載のコンピュータプログラム。
【請求項１６】
前記生体識別情報は所定の指の指紋情報であることを特徴とする請求項１５記載のコンピュータプログラム。
【発明の詳細な説明】
【技術分野】
【０００１】
本発明は、携帯電話機の電話番号を利用し、入退場口の開錠を制御することができる入退場制御システム、入退場制御方法、制御装置、及びコンピュータプログラムに関する。
【背景技術】
【０００２】
従来、コインランドリー、ＡＴＭ、コンビニエンスストア等の複数の利用者の入退場が頻繁に行われる施設では、施設内の備品、又は施設内の設備使用時の利用者に係る所持品の紛失、盗難等を防止すべく、入退場時に正当な利用者であるか否かを確認する手段を用いることが多い。利用者の入退場を確認する手段の一つとして、例えば利用者が入退場口に設置してある入力手段を介して特定の暗証番号を入力し、該暗証番号が正当な利用者に係る暗証番号として登録されているか否かを照合する暗証番号照合が良く用いられる。
【０００３】
しかし、入退場時に正当な利用者であるか否かを確認する場合、暗証番号入力者が本人であるか否かを確認することができず、利用者本人であるか否かを確認することができる識別情報と暗証番号の両方を入力することが多い。この場合、利用者は、識別情報と暗証番号の両方を入力する必要があることから、入退場手続きが煩雑となるという問題点があった。
【０００４】
そこで、例えば特許文献１では、利用者が保持している携帯電話機を利用し、利用者が意識することなく携帯電話機から本人であるか否かを確認する識別情報を入退場口に設置してある制御装置に送信することにより、制御装置は、受信した識別情報に基づいて本人であるか否かを確認し、利用者が入場時に入力すべき暗証番号を発行する入退室管理システムが開示されている。このようにすることで、利用者は、本人であるか否かを確認する識別情報を入力手段を介して入力する必要がないことから、入退場時に煩雑な手続きを行うことなく、セキュリティを高く維持することが可能となる。
【特許文献１】特開２０００−２１３１２６号公報
【発明の開示】
【発明が解決しようとする課題】
【０００５】
しかし、上述した従来の入退室管理システムでは、セキュリティをより高く維持するために、暗証番号の桁数がより多くなる傾向にあり、利用者は、ランダムな数字又は英数字の羅列であることが多い暗証番号を入退場ごとに記憶する必要がある。したがって、利用者が一度入場した後、退場し、再度入場する場合に、暗証番号を失念することが多く、その都度暗証番号を再発行する等、入退場時の利便性を損ない、円滑な入退場を阻害するおそれがあるという問題点があった。
【０００６】
また、携帯電話機の電話番号は、携帯電話機の所有者にとっては自明の情報であるのに対して、第三者からは把握することが困難な情報である。したがって、暗証番号の代用機能を備えた情報の１つとして活用することができる。
【０００７】
本発明は、斯かる事情に鑑みてなされたものであり、携帯電話機の電話番号の一部又は全部により暗証番号を代用することで、セキュリティを高く維持しつつ入場者の利便性を保持することができる入退場制御システム、入退場制御方法、制御装置、及びコンピュータプログラムを提供することを目的とする。
【０００８】
また本発明は、一度入場した入場者が再入場する場合に、煩雑な手続きを経ることなく円滑に入場することができる入退場制御システム、入退場制御方法、制御装置、及びコンピュータプログラムを提供することを目的とする。
【課題を解決するための手段】
【０００９】
上記目的を達成するために第１発明に係る入退場制御システムは、入場者に係る携帯電話機と、入場者の入退場口の開錠を制御する制御装置とを備える入退場制御システムにおいて、前記制御装置は、前記携帯電話機に係る電話番号を受付ける手段と、受付けた電話番号に対して発呼する手段と、呼が確立されたか否かを確認する手段と、該手段で呼が確立されたと確認した場合、入力を要求するメッセージを出力する手段と、入力を受け付けたか否かを判断する手段と、該手段で入力を受付けたと判断した場合、受け付けた入力が前記電話番号の一部又は全部であるか否かを判断する手段と、該手段で前記電話番号の一部又は全部であると判断した場合、入退場口の開錠を指示する信号を送出する手段と、受付けた前記電話番号の一部又は全部を記憶手段に所定の時間記憶する手段とを備えることを特徴とする。
【００１０】
また、第２発明に係る入退場制御システムは、第１発明において、前記制御装置は、入退場口が施錠されている場合、受付けた入力が、記憶してある前記電話番号の一部又は全部と一致するか否かを判断する手段と、該手段で一致すると判断した場合、入退場口の開錠を指示する信号を送出する手段とを備えることを特徴とする。
【００１１】
また、第３発明に係る入退場制御システムは、第１又は第２発明において、前記制御装置は、人間に固有の生体識別情報の入力を受付ける手段と、前記電話番号の一部又は全部を、受け付けた生体識別情報に対応付けて、前記記憶手段に記憶する手段と、入退場口が施錠されている場合、生体識別情報の入力を受付ける手段と、受付けた生体識別情報が、記憶してある前記生体識別情報と略合致するか否かを判断する手段と、該手段で略合致すると判断した場合、入退場口の開錠を指示する信号を送出する手段とを備えることを特徴とする。
【００１２】
また、第４発明に係る入退場制御システムは、第３発明において、前記生体識別情報は所定の指の指紋情報であることを特徴とする。
【００１３】
また、第５発明に係る入退場制御方法は、入場者に係る携帯電話機と、入場者の入退場口の開錠を制御する制御装置とを用い、前記入場者の入退場を制御する入退場制御方法において、前記携帯電話機に係る電話番号を受付け、受付けた電話番号に対して発呼し、呼が確立されたか否かを確認し、呼が確立されたと確認した場合、入力を要求するメッセージを出力し、入力を受け付けたか否かを判断し、入力を受付けたと判断した場合、受け付けた入力が前記電話番号の一部又は全部であるか否かを判断し、前記電話番号の一部又は全部であると判断した場合、入退場口の開錠を指示する信号を送出し、受付けた前記電話番号の一部又は全部を記憶手段に所定の時間記憶することを特徴とする。
【００１４】
また、第６発明に係る入退場制御方法は、第５発明において、入退場口が施錠されている場合、受付けた入力が、記憶してある前記電話番号の一部又は全部と一致するか否かを判断し、一致すると判断した場合、入退場口の開錠を指示する信号を送出することを特徴とする。
【００１５】
また、第７発明に係る入退場制御方法は、第５又は第６発明において、人間に固有の生体識別情報の入力を受付け、前記電話番号の一部又は全部を、受け付けた生体識別情報に対応付けて、前記記憶手段に記憶し、入退場口が施錠されている場合、生体識別情報の入力を受付け、受付けた生体識別情報が、記憶してある前記生体識別情報と略合致するか否かを判断し、略合致すると判断した場合、入退場口の開錠を指示する信号を送出することを特徴とする。
【００１６】
また、第８発明に係る入退場制御方法は、第７発明において、前記生体識別情報は所定の指の指紋情報であることを特徴とする。
【００１７】
また、第９発明に係る制御装置は、入場者に係る携帯電話機から情報を取得し、前記入場者の入退場口の開錠を制御する制御装置において、前記携帯電話機に係る電話番号を受付ける手段と、受付けた電話番号に対して発呼する手段と、呼が確立されたか否かを確認する手段と、該手段で呼が確立されたと確認した場合、入力を要求するメッセージを出力する手段と、入力を受け付けたか否かを判断する手段と、該手段で入力を受付けたと判断した場合、受け付けた入力が前記電話番号の一部又は全部であるか否かを判断する手段と、該手段で前記電話番号の一部又は全部であると判断した場合、入退場口の開錠を指示する信号を送出する手段と、受付けた前記電話番号の一部又は全部を記憶手段に所定の時間記憶する手段とを備えることを特徴とする。
【００１８】
また、第１０発明に係る制御装置は、第９発明において、入退場口が施錠されている場合、入力を受付ける手段と、受付けた入力が、記憶してある前記電話番号の一部又は全部と一致するか否かを判断する手段と、該手段で一致すると判断した場合、入退場口の開錠を指示する信号を送出する手段とを備えることを特徴とする。
【００１９】
また、第１１発明に係る制御装置は、第９又は第１０発明において、人間に固有の生体識別情報の入力を受付ける手段と、前記電話番号の一部又は全部を、受け付けた生体識別情報に対応付けて、前記記憶手段に記憶する手段と、入退場口が施錠されている場合、生体識別情報の入力を受付ける手段と、受付けた生体識別情報が、記憶してある前記生体識別情報と略合致するか否かを判断する手段と、該手段で略合致すると判断した場合、入退場口の開錠を指示する信号を送出する手段とを備えることを特徴とする。
【００２０】
また、第１２発明に係る制御装置は、第１１発明において、前記生体識別情報は所定の指の指紋情報であることを特徴とする。
【００２１】
また、第１３発明に係るコンピュータプログラムは、入場者に係る携帯電話機から情報を取得し、前記入場者の入退場口の開錠を制御する制御装置で実行可能なコンピュータプログラムにおいて、前記制御装置を、前記携帯電話機に係る電話番号を受付ける手段、受付けた電話番号に対して発呼する手段、呼が確立されたか否かを確認する手段、該手段で呼が確立されたと確認した場合、入力を要求するメッセージを出力する手段、入力を受け付けたか否かを判断する手段、該手段で入力を受付けたと判断した場合、受け付けた入力が前記電話番号の一部又は全部であるか否かを判断する手段、該手段で前記電話番号の一部又は全部であると判断した場合、入退場口の開錠を指示する信号を送出する手段、及び受付けた前記電話番号の一部又は全部を記憶手段に所定の時間記憶する手段として機能させることを特徴とする。
【００２２】
また、第１４発明に係るコンピュータプログラムは、第１３発明において、前記制御装置を、入退場口が施錠されている場合、入力を受付ける手段、受付けた入力が、記憶してある前記電話番号の一部又は全部と一致するか否かを判断する手段、及び該手段で一致すると判断した場合、入退場口の開錠を指示する信号を送出する手段として機能させることを特徴とする。
【００２３】
また、第１５発明に係るコンピュータプログラムは、第１３又は第１４発明において、前記制御装置を、人間に固有の生体識別情報の入力を受付ける手段、前記電話番号の一部又は全部を、受け付けた生体識別情報に対応付けて、前記記憶手段に記憶する手段、入退場口が施錠されている場合、生体識別情報の入力を受付ける手段、受付けた生体識別情報が、記憶してある前記生体識別情報と略合致するか否かを判断する手段、及び該手段で略合致すると判断した場合、入退場口の開錠を指示する信号を送出する手段として機能させることを特徴とする。
【００２４】
また、第１６発明に係るコンピュータプログラムは、第１５発明において、前記生体識別情報は所定の指の指紋情報であることを特徴とする。
【００２５】
第１発明、第５発明、第９発明及び第１３発明では、入場者が所持する携帯電話機に係る電話番号を受付け、受付けた電話番号に対して発呼することにより通話状態とする。通話状態となった場合、入場者からの入力を要求するメッセージを音声出力、表示出力等行い、入場者から受付けた入力が入場者の所持する携帯電話機に係る電話番号の一部又は全部である場合に、入退場口を開錠する。再度入場する場合に使用可能とすべく、受付けた電話番号の一部又は全部を記憶手段に所定の時間記憶する。これにより、暗証番号として入場者が所持する携帯電話機に係る電話番号の一部又は全部を用いることができ、入場者が失念することなく本人であるか否かを精度良く確認することができることから、セキュリティを高く維持することが可能となり、不正な入場者による窃盗、盗難、悪戯等の犯罪を未然に防止することが可能となる。
【００２６】
第２発明、第６発明、第１０発明及び第１４発明では、入退場口が施錠されている場合に受付けた入力が、記憶してある電話番号の一部又は全部と一致する場合に、入退場口を開錠する。これにより、一定の時間記憶手段に記憶されている入場者の所持する携帯電話機に係る電話番号の一部又は全部を、再入場時の暗証番号として用いることができ、入場者が失念することなく本人であるか否かを精度良く確認することができることから、セキュリティを高く維持することが可能となり、不正な入場者による窃盗、盗難、悪戯等の犯罪を未然に防止することが可能となる。
【００２７】
第３発明、第７発明、第１１発明及び第１５発明では、人間に固有の生体識別情報の入力を受付け、電話番号の一部又は全部を、受け付けた生体識別情報に対応付けて記憶手段に記憶する。入退場口が施錠されている場合、生体識別情報の入力を受付け、受付けた生体識別情報が略合致する場合、入退場口を開錠する。これにより、生体識別情報によっても本人確認を行うことができ、セキュリティを高く維持することが可能となり、不正な入場者による窃盗、盗難、悪戯等の犯罪を未然に防止することが可能となる。
【００２８】
第４発明、第８発明、第１２発明及第１６発明では、生体識別情報は所定の指の指紋情報である。これにより、入場者の手続きを煩雑にすることなく生体識別情報によるセキュリティの向上を図ることができ、不正な入場者による窃盗、盗難、悪戯等の犯罪を未然に防止することが可能となる。
【発明の効果】
【００２９】
第１発明、第５発明、第９発明及び第１３発明によれば、暗証番号として入場者が所持する携帯電話機に係る電話番号の一部又は全部を用いることができ、入場者が失念することなく本人であるか否かを精度良く確認することができることから、セキュリティを高く維持することが可能となり、不正な入場者による窃盗、盗難、悪戯等の犯罪を未然に防止することが可能となる。
【００３０】
第２発明、第６発明、第１０発明及び第１４発明によれば、一定の時間記憶手段に記憶されている入場者の所持する携帯電話機に係る電話番号の一部又は全部を、再入場時の暗証番号として用いることができ、入場者が失念することなく本人であるか否かを精度良く確認することができることから、セキュリティを高く維持することが可能となり、不正な入場者による窃盗、盗難、悪戯等の犯罪を未然に防止することが可能となる。
【００３１】
第３発明、第７発明、第１１発明及び第１５発明によれば、生体識別情報によっても本人確認を行うことができ、セキュリティを高く維持することが可能となり、不正な入場者による窃盗、盗難、悪戯等の犯罪を未然に防止することが可能となる。
【００３２】
第４発明、第８発明、第１２発明及第１６発明によれば、入場者の手続きを煩雑にすることなく生体識別情報によるセキュリティの向上を図ることができ、不正な入場者による窃盗、盗難、悪戯等の犯罪を未然に防止することが可能となる。
【発明を実施するための最良の形態】
【００３３】
以下、本発明をその実施の形態を示す図面に基づいて詳述する。
【００３４】
（実施の形態１）
図１は、本発明の実施の形態１に係る入退場制御システムの構成を示すブロック図である。本実施の形態１に係る入退場制御システムは、入場者が所持している携帯電話機１０と自動通話が可能であり、入退場ゲート４０の開錠を制御する入退場ゲートＥＣＵ２０とデータを送受信することが可能に接続してある制御装置３０を備えている。携帯電話機１０は、無線電話回線を使用する携帯可能な電話機であれば携帯電話に限定されるものではなく、ＰＨＳ（Ｐｅｒｓｏｎａｌ ｈａｎｄｙｐｈｏｎｅ ｓｙｓｔｅｍ）と称される簡易型携帯電話機であっても良い。
【００３５】
入退場ゲートＥＣＵ２０は、入退場口に設置してある入退場ゲート４０の開錠・施錠を行う。入退場ゲートＥＣＵ２０は、制御装置３０から開錠指示信号を受信した場合、入退場ゲート４０へ開錠信号を送出し、入退場ゲート４０が開錠される。これにより入場者が入場することができる。入退場ゲート４０は、施錠可能な状態で一定時間経過した場合、自動的に入退場ゲート４０を施錠する。なお、開錠・施錠を制御するものに限定されるものではなく、例えば入退場ゲート４０の開閉を制御するものであっても良い。
【００３６】
制御装置３０は、少なくとも、ＣＰＵ（中央演算装置）３１、ＲＯＭ３２、ＲＡＭ３３、外部の通信手段と接続する通信インタフェース３４、データの入力を受け付ける入力部３５、表示画面にデータを表示する表示部３６で構成される。
【００３７】
ＣＰＵ３１は、内部バス３７を介して制御装置３０の上述したようなハードウェア各部と接続されており、上述したハードウェア各部を制御するとともに、ＲＯＭ３２に記憶されている処理プログラム、例えば受け付けたデータを一定時間記憶するプログラム、受け付けたデータをＲＡＭ３３に記憶してあるデータと照合するプログラム、入退場ゲートＥＣＵ２０へ開錠指示信号を送出するプログラム等に従って、種々のソフトウェア的機能を実行する。
【００３８】
ＲＯＭ３２は、制御装置３０として機能させるために必要な処理プログラムを記憶している。ＲＡＭ３３は、ＤＲＡＭ等で構成され、ソフトウェアの実行時に発生する一時的なデータを記憶する。
【００３９】
通信インタフェース３４は内部バス３７に接続されており、通信線５０を介して入退場制御ＥＣＵ２０とデータ通信することができるよう接続することにより、処理に必要なデータを送受信する。また、携帯電話機２との間で無線でデータの送受信を行うことができる。携帯電話機２との間での通信手段は、携帯電話機２と通信インタフェース３４との間をワイヤレスに説即することができるものであれば特に限定されるものではなく、通常の携帯電話による通信のみならず、例えば赤外線（ＩｒＤＡ）のような近距離（数平方ｍ〜数百平方ｍ）無線通信手段であっても良い。
【００４０】
入力部３５は、表示画面に表示された入力領域に必要なデータを入力することが可能なキーボード（数値データのみの場合はテンキーボード）等、複数の入力領域が表示されている場合に、どの入力領域に入力するのかを選択するマウス等である。表示部３６は、画像を表示出力する液晶表示装置（ＬＣＤ）、表示ディスプレイ（ＣＲＴ）等の外部の表示装置の他、内蔵しているＬＣＤであっても良い。なお、入力部３５及び表示部３６を兼ねたタッチパネルであっても良い。
【００４１】
図２は、本発明の実施の形態１に係る入退場制御システムの制御装置３０のＣＰＵ３１の新規入場時の処理手順を示すフローチャートである。なお、説明を簡単にするために、制御装置３０は、入退場口の入退場ゲート４０の近傍に設置してあり、タッチパネルである表示部３６に必要なデータを表示及び入力するものとする。もちろん、斯かる実施の形態に限定されるものではない。
【００４２】
制御装置３０のＣＰＵ３１は、表示部３６に初期画面を表示する（ステップＳ２０１）。図３は、表示部３６に表示する初期画面の例示図である。初期画面には、新規入場であるか、再入場であるかを選択することが可能な新規入場ボタン１１及び再入場ボタン１２を備えており、ＣＰＵ３１は、入場者による新規入場ボタン１１の選択を受け付けるまで待ち状態とする（ステップＳ２０２：ＮＯ）。
【００４３】
ＣＰＵ３１が、入場者による新規入場ボタン１１の選択を受け付けたと判断した場合（ステップＳ２０２：ＹＥＳ）、ＣＰＵ３１は、入場者による携帯電話機１０に係る電話番号の入力待ち状態となる（ステップＳ２０３：ＮＯ）。電話番号の入力は、テンキーボタン１３を介して行い、入力結果は表示領域１４に表示される。ＣＰＵ３１が、入場者による携帯電話機１０に係る電話番号を受け付けたと判断した場合（ステップＳ２０３：ＹＥＳ）、ＣＰＵ３１は、受け付けた電話番号に対して発呼する（ステップＳ２０４）。
【００４４】
ＣＰＵ３１は、発呼した電話番号で呼が確立したか否かを判断し（ステップＳ２０５）、ＣＰＵ３１が、呼が確立したと判断した場合（ステップＳ２０５：ＹＥＳ）、ＣＰＵ３１は、受け付けた電話番号の一部を抽出し（ステップＳ２０６）、抽出した電話番号の一部を暗証番号としてＲＡＭ３３に記憶する（ステップＳ２０７）。ＣＰＵ３１は、携帯電話機１０に対して合成音声により、例えば「あなたの暗証番号はＸＸ○○です。」等の暗証番号を入場者へ通知する音声メッセージを出力する（ステップＳ２０８）。なお、ＣＰＵ３１が、呼が確立していないと判断した場合（ステップＳ２０５：ＮＯ）、ＣＰＵ３１は、正当な入場者でないものと判断して処理を終了する。
【００４５】
ＣＰＵ３１は、入場者による暗証番号入力の待ち状態となり（ステップＳ２０９：ＮＯ）、ＣＰＵ３１が暗証番号を受け付けたと判断した場合（ステップＳ２０９：ＹＥＳ）、ＣＰＵ３１は、受け付けた暗証番号とＲＡＭ３３に記憶してある電話番号の一部とが一致しているか否かを判断する（ステップＳ２１０）。なお、暗証番号の入力は、テンキーボタン１３を介して行い、入力結果は表示領域１４に表示される。ＣＰＵ３１が、両者が一致していると判断した場合（ステップＳ２１０：ＹＥＳ）、ＣＰＵ３１は、入退場ゲートＥＣＵ２０に対して、入退場ゲート４０の開錠を指示する開錠指示信号を送出する（ステップＳ２１１）。なお、ＣＰＵ３１が、両者が一致していないと判断した場合（ステップＳ２１０：ＮＯ）、ＣＰＵ３１は、正当な入場者でないものと判断して処理を終了する。
【００４６】
開錠指示信号を受け付けた入退場ゲートＥＣＵ２０は、入退場ゲート２０に対して開錠を指示し、入場者が入場することが可能となる。
【００４７】
なお、暗証番号として、携帯電話機の電話番号の全部を用いても良い。また、一部を用いる場合も、図３の例では、「ＸＸ○○」に限定されるものではなく、「○○△△」、「△△□□」であっても良いし、桁数も４桁に限定されるものではない。また、暗証番号の通知は、合成音声による音声出力に限定されるものではなく、表示部３６への表示出力であっても良い。
【００４８】
図４は、本発明の実施の形態１に係る入退場制御システムの制御装置３０のＣＰＵ３１の再入場時の処理手順を示すフローチャートである。制御装置３０のＣＰＵ３１は、表示部３６に初期画面を表示し（ステップＳ４０１）、入場者による再入場ボタン１２の選択を受け付けるまで待ち状態とする（ステップＳ４０２：ＮＯ）。
【００４９】
ＣＰＵ３１が、入場者による再入場ボタン１２の選択を受け付けたと判断した場合（ステップＳ４０２：ＹＥＳ）、ＣＰＵ３１は、入場者による暗証番号の入力待ち状態となる（ステップＳ４０３：ＮＯ）。暗証番号の入力は、テンキーボタン１３を介して行い、入力結果は表示領域１４に表示される。
【００５０】
ＣＰＵ３１が、入場者による暗証番号の入力を受け付けたと判断した場合（ステップＳ４０３：ＹＥＳ）、ＣＰＵ３１は、受け付けた暗証番号と、ＲＡＭ３３に記憶してある電話番号の一部とが一致するか否かを判断する（ステップＳ４０４）。
【００５１】
ＣＰＵ３１が、両者が一致すると判断した場合（ステップＳ４０４：ＹＥＳ）、ＣＰＵ３１は、入退場ゲートＥＣＵ２０に対して、入退場ゲート４０の開錠を指示する開錠指示信号を送出する（ステップＳ４０５）。ＣＰＵ３１が、両者が一致していないと判断した場合（ステップＳ４０４：ＮＯ）、ＣＰＵ３１は、不正な入場者であると判断し、処理を終了する。
【００５２】
開錠指示信号を受け付けた入退場ゲートＥＣＵ２０は、入退場ゲート２０に対して開錠を指示し、入場者が再入場することが可能となる。
【００５３】
また、上述のように制御装置３０のＣＰＵ３１が、入場者から受け付けた入場者に係る電話番号に対して発呼するものに限定されるものではなく、例えば制御装置３０に専用の携帯電話機を接続しておき、該専用の携帯電話機に対して入場者に係る携帯電話機１０から発呼するものであっても良い。この場合、専用の携帯電話機は、単なる着呼した電話番号を制御装置３０のＣＰＵ３１へ送出する手段として機能し、ＣＰＵ３１は、専用の携帯電話機から受付けた電話番号に基づいて、受け付けた電話番号の一部を抽出し、抽出した電話番号の一部を暗証番号としてＲＡＭ３３に記憶する。
【００５４】
携帯電話機間で電話番号を受付可能とするため、発呼側である入場者に係る携帯電話機１０は、番号通知に設定して発呼する必要がある。したがって、番号非通知に設定してある携帯電話機１０を所持している入場者は、入場することができない。番号通知に設定してある携帯電話機１０を所持している入場者は、図２のステップＳ２０９以下の暗証番号の認証処理を行うことにより、入場することが可能となる。
【００５５】
以上のように本実施の形態１によれば、入場時又は再入場時の暗証番号として入場者が所持する携帯電話機１０に係る電話番号の一部又は全部を用いることができ、入場者が失念することなく本人であるか否かを精度良く確認することができることから、セキュリティを高く維持することが可能となり、不正な入場者による窃盗、盗難、悪戯等の犯罪を未然に防止することが可能となる。
【００５６】
（実施の形態２）
図５は、本発明の実施の形態２に係る入退場制御システムの構成を示すブロック図である。本実施の形態２に係る入退場制御システムは、基本的な構成が実施の形態１と同様であることから、同一の構成については同一の符号を付することで詳細な説明を省略する。本実施の形態２は、入場者の指紋を検出する指紋センサ３８を備える点に特徴を有する。
【００５７】
図６は、本発明の実施の形態２に係る入退場制御システムの制御装置３０のＣＰＵ３１の新規入場時の処理手順を示すフローチャートである。なお、説明を簡単にするために、制御装置３０は、入退場口の入退場ゲート４０の近傍に設置してあり、タッチパネルである表示部３６に必要なデータを表示及び入力するものとする。もちろん、斯かる実施の形態に限定されるものではない。
【００５８】
制御装置３０のＣＰＵ３１は、表示部３６に初期画面を表示し（ステップＳ６０１）、入場者による新規入場ボタン１１の選択を受け付けるまで待ち状態とする（ステップＳ６０２：ＮＯ）。ＣＰＵ３１が、入場者による新規入場ボタン１１の選択を受け付けたと判断した場合（ステップＳ６０２：ＹＥＳ）、ＣＰＵ３１は、入場者による携帯電話機１０に係る電話番号の入力待ち状態となる（ステップＳ６０３：ＮＯ）。電話番号の入力は、テンキーボタン１３を介して行い、入力結果は表示領域１４に表示される。ＣＰＵ３１が、入場者による携帯電話機１０に係る電話番号を受け付けたと判断した場合（ステップＳ６０３：ＹＥＳ）、ＣＰＵ３１は、受け付けた電話番号に対して発呼する（ステップＳ６０４）。
【００５９】
ＣＰＵ３１は、発呼した電話番号で呼が確立したか否かを判断し（ステップＳ６０５）、ＣＰＵ３１が、呼が確立したと判断した場合（ステップＳ６０５：ＹＥＳ）、ＣＰＵ３１は、受け付けた電話番号の一部を抽出し（ステップＳ６０６）、抽出した電話番号の一部を暗証番号としてＲＡＭ３３に記憶する（ステップＳ６０７）。ＣＰＵ３１は、携帯電話機１０に対して合成音声により、例えば「あなたの暗証番号はＸＸ○○です。」等の暗証番号を入場者へ通知する音声メッセージ、及び「右手中指の指紋を登録してください。」等の指紋情報の入力メッセージを出力する（ステップＳ６０８）。ＣＰＵ３１が、呼が確立していないと判断した場合（ステップＳ６０５：ＮＯ）、ＣＰＵ３１は、不正な入場者であると判断し、処理を終了する。
【００６０】
ＣＰＵ３１は、入場者による暗証番号及び指紋情報の入力の待ち状態となり（ステップＳ６０９：ＮＯ）、ＣＰＵ３１が暗証番号及び指紋情報を受け付けたと判断した場合（ステップＳ６０９：ＹＥＳ）、ＣＰＵ３１は、受け付けた暗証番号とＲＡＭ３３に記憶してある電話番号の一部とが一致しているか否かを判断する（ステップＳ６１０）。なお、暗証番号の入力は、テンキーボタン１３を介して行い、入力結果は表示領域１４に表示される。また、指紋情報の入力は、指紋センサ３８の撮像部に指定された指を押し付けることにより、画像情報として入力される。
【００６１】
ＣＰＵ３１が、両者が一致していると判断した場合（ステップＳ６１０：ＹＥＳ）、ＣＰＵ３１は、受け付けた指紋情報をＲＡＭ３３に記憶し（ステップＳ６１１）、入退場ゲートＥＣＵ２０に対して、入退場ゲート４０の開錠を指示する開錠指示信号を送出する（ステップＳ６１２）。ＣＰＵ３１が、両者が一致していないと判断した場合（ステップＳ６１０：ＮＯ）、ＣＰＵ３１は、不正な入場者であると判断し、処理を終了する。
【００６２】
開錠指示信号を受け付けた入退場ゲートＥＣＵ２０は、入退場ゲート２０に対して開錠を指示し、入場者が入場することが可能となる。
【００６３】
図７は、本発明の実施の形態２に係る入退場制御システムの制御装置３０のＣＰＵ３１の再入場時の処理手順を示すフローチャートである。制御装置３０のＣＰＵ３１は、表示部３６に初期画面を表示し（ステップＳ７０１）、入場者による再入場ボタン１２の選択を受け付けるまで待ち状態とする（ステップＳ７０２：ＮＯ）。
【００６４】
ＣＰＵ３１が、入場者による再入場ボタン１２の選択を受け付けたと判断した場合（ステップＳ７０２：ＹＥＳ）、ＣＰＵ３１は、入場者による暗証番号および指紋情報の入力待ち状態となる（ステップＳ７０３：ＮＯ）。暗証番号の入力は、テンキーボタン１３を介して行い、入力結果は表示領域１４に表示される。指紋情報の入力は、例えば右手の中指を指紋センサ３８に押し付けることにより、画像情報として入力する。
【００６５】
ＣＰＵ３１が、入場者による暗証番号及び指紋情報の入力を受け付けたと判断した場合（ステップＳ７０３：ＹＥＳ）、ＣＰＵ３１は、受け付けた暗証番号と、ＲＡＭ３３に記憶してある電話番号の一部とが一致するか否かを判断する（ステップＳ７０４）。
【００６６】
ＣＰＵ３１が、両者が一致すると判断した場合（ステップＳ７０４：ＹＥＳ）、ＣＰＵ３１は、受け付けた指紋情報がＲＡＭ３３に記憶してある指紋情報と合致するか否かを判断する（ステップＳ７０５）。指紋情報が合致しているか否かは、両画像情報の一致度を評価値として算出し、算出した評価値が所定値より大きい場合に合致しているものと判断する。
【００６７】
ＣＰＵ３１が、受け付けた指紋情報がＲＡＭ３３に記憶してある指紋情報と合致すると判断した場合（ステップＳ７０５：ＹＥＳ）、ＣＰＵ３１は、入退場ゲートＥＣＵ２０に対して、入退場ゲート４０の開錠を指示する開錠指示信号を送出する（ステップＳ７０６）。ＣＰＵ３１が、両者が一致しないと判断した場合（ステップＳ７０４：ＮＯ）、及び、受け付けた指紋情報がＲＡＭ３３に記憶してある指紋情報と合致しないと判断した場合（ステップＳ７０５：ＮＯ）、ＣＰＵ３１は、不正な入場者であると判断し、処理を終了する。
【００６８】
開錠指示信号を受け付けた入退場ゲートＥＣＵ２０は、入退場ゲート２０に対して開錠を指示し、入場者が再入場することが可能となる。
【００６９】
また、実施の形態１と同様、制御装置３０のＣＰＵ３１が、入場者から受け付けた入場者に係る電話番号に対して発呼するものに限定されるものではなく、例えば制御装置３０に専用の携帯電話機を接続しておき、該専用の携帯電話機に対して入場者に係る携帯電話機１０から発呼するものであっても良い。この場合、専用の携帯電話機は、単なる着呼した電話番号を制御装置３０のＣＰＵ３１へ送出する手段として機能し、ＣＰＵ３１は、専用の携帯電話機から受付けた電話番号に基づいて、受け付けた電話番号の一部を抽出し、抽出した電話番号の一部を暗証番号としてＲＡＭ３３に記憶する。なお、携帯電話機の種類によっては、指紋センサを兼用することも可能である。
【００７０】
携帯電話機間で電話番号を受付可能とするため、発呼側である入場者に係る携帯電話機１０は、番号通知に設定して発呼する必要がある。したがって、番号非通知に設定してある携帯電話機１０を所持している入場者は、入場することができない。番号通知に設定してある携帯電話機１０を所持している入場者は、図６のステップＳ６０９以下の暗証番号の認証処理を行うことにより、入場することが可能となる。
【００７１】
なお、入場者に固有の生体情報は、指紋情報に限定されるものではなく、眼球の虹彩等、他の生体情報であっても良い。また、本実施の形態２では、再入場時に正当な入場者であるか否かを判断する順序は、最初に暗証番号につき判断し、それから指紋情報等の生体情報につき判断しているが、判断する順序はどちらの判断を先に行っても良い。
【００７２】
以上のように本実施の形態２によれば、入場時又は再入場時の暗証番号として入場者が所持する携帯電話機１０に係る電話番号の一部又は全部を用い、本人確認のために人体固有の情報である指紋情報を用いることで、入場者が失念することなく本人であるか否かを精度良く確認することができ、万一暗証番号を不正に取得した場合であっても、不正な入場者による窃盗、盗難、悪戯等の犯罪を未然に防止することが可能となる。
【００７３】
なお、本実施の形態１及び２では、暗証番号及び指紋情報を、所定の時間だけ一時記憶することからＲＡＭ３３に記憶しているが、特に記憶手段をＲＡＭに限定するものではなく、内蔵するハードディスク等の固定型記憶手段であっても良いし、ＤＶＤ等の可搬型記憶手段、ネットワークを介して接続可能な遠隔型記憶手段であっても良い。
【００７４】
さらに、本実施の形態１及び２では、暗証番号及び指紋情報を、所定の時間だけ一時記憶することからＲＡＭ３３に記憶しているが、特に記憶手段をＲＡＭに限定するものではなく、内蔵するハードディスク等の固定型記憶手段であっても良いし、ＤＶＤ等の可搬型記憶手段、ネットワークを介して接続可能な遠隔型記憶手段であっても良い。
【図面の簡単な説明】
【００７５】
【図１】本発明の実施の形態１に係る入退場制御システムの構成を示すブロック図である。
【図２】本発明の実施の形態１に係る入退場制御システムの制御装置のＣＰＵの新規入場時の処理手順を示すフローチャートである。
【図３】表示部に表示する初期画面の例示図である。
【図４】本発明の実施の形態１に係る入退場制御システムの制御装置のＣＰＵの再入場時の処理手順を示すフローチャートである。
【図５】本発明の実施の形態２に係る入退場制御システムの構成を示すブロック図である。
【図６】本発明の実施の形態２に係る入退場制御システムの制御装置のＣＰＵの新規入場時の処理手順を示すフローチャートである。
【図７】本発明の実施の形態２に係る入退場制御システムの制御装置のＣＰＵの再入場時の処理手順を示すフローチャートである。
【符号の説明】
【００７６】
１０  携帯電話機
２０  入退場ゲートＥＣＵ
３０  制御装置
３１  ＣＰＵ
３２  ＲＯＭ
３３  ＲＡＭ
３４  通信インタフェース
３５  入力部
３６  表示部
３７  内部バス
３８  指紋センサ
４０  入退場ゲート
５０  通信線
【図１】
2006225889.tif 000003
【図２】
2006225889.tif 000004
【図３】
2006225889.tif 000005
【図４】
2006225889.tif 000006
【図５】
2006225889.tif 000007
【図６】
2006225889.tif 000008
【図７】
2006225889.tif 000009